(57)【特許請求の範囲】
【請求項１】
ヘッドセット装置をヘルメットに取り付けるための交換可能なアダプタであって、
ａ．ヘルメットにあるヘルメットキャビティ内に収容されるのに適した形状を収容する下位にある下部と、
ｂ．前記ヘッドセット装置を収容するように適合されたアダプタキャビティと、
を備え、
異なる形状または寸法を有する別のヘッドセット装置を同じヘルメットに取り付ける必要があるときに、またはヘルメットを異なる形状または寸法のキャビティを有する別のヘルメットと交換する必要があるときに、前記アダプタは、前記別のヘッドセット装置を収容できるアダプタキャビティを有する、または前記別のヘルメットのキャビティ内に収容されるのに適した下部形状を有する、別のアダプタと、交換される、交換可能なアダプタ。
【請求項２】
請求項１に記載の交換可能なアダプタであって、前記アダプタキャビティは、前記下位の上の、アダプタの上位に設けられる、交換可能なアダプタ。
【請求項３】
請求項１に記載の交換可能なアダプタであって、ヘルメットおよびアダプタは、アダプタの前記下部を前記ヘルメットキャビティ内に係止されたままにする係止手段を備える、交換可能なアダプタ。
【請求項４】
請求項１に記載の交換可能なアダプタであって、アダプタは、前記ヘッドホン装置を前記アダプタキャビティ内に係止されたままにする係止手段を備える、交換可能なアダプタ。
【請求項５】
請求項１に記載の交換可能なアダプタであって、ヘルメットキャビティおよびアダプタキャビティは、それらの形状、寸法、または両方、が異なる、交換可能なアダプタ。
【請求項６】
請求項１に記載の交換可能なアダプタであって、第１コネクタがアダプタの前記下部に設けられ、前記第１コネクタは、前記ヘルメットキャビティにある各ヘルメットコネクタと嵌合するように適合されている、交換可能なアダプタ。
【請求項７】
請求項６に記載の交換可能なアダプタであって、第２コネクタが前記アダプタキャビティに設けられ、前記第２コネクタは、前記ヘッドホン装置にある各コネクタと嵌合するように適合されている、交換可能なアダプタ。
【請求項８】
請求項６に記載の交換可能なアダプタであって、適した配線手段が、前記第１コネクタと前記第２コネクタの対応する接点間を接続するように提供されている、交換可能なアダプタ。
【請求項９】
請求項１に記載の交換可能なアダプタであって、開口が、キャビティコネクタの位置でアダプタに設けられ、追加の単一のコネクタが、その側の１つで前記キャビティコネクタと、その反対側で前記ヘッドセットコネクタと、嵌合するように設けられている、交換可能なアダプタ。
【発明の詳細な説明】
【技術分野】
【０００１】
本発明の分野は、概してヘルメットアクセサリーの分野に関する。より具体的には、本発明は、特定の形状のキャビティを有するヘルメットにあらゆる形状のヘッドホンを取り付けるためのアダプタに関する。
【背景技術】
【０００２】
ヘッドセット（以下、「ヘッドホン装置」、「Ｂｌｕｅｔｈｏｏｔｈデバイス」、または「ヘッドセット」）は、特にヘッドホンのハンズフリー操作が望まれるときに、ヘルメットと組み合わせて広く使用されている。特定の例では、ヘッドホンは、オートバイ運転者用または他のスポーツまたはレジャー活動用のヘルメットと組み合わせて広く使用されている（以下の記載はオートバイ運転者用のヘルメットの特定の例を述べるが、本発明はあらゆる種類のヘルメットと共に使用できるので、この例は限定する例と見なされるべきでない）。近年では、オートバイ運転者用のヘッドホン装置は、特にＢｌｕｅｔｈｏｏｔｈプロトコルが実現可能になったときに、著しく改良された。オートバイ運転者用のＢｌｕｅｔｈｏｏｔｈヘッドホンは、数年前は不可能であったいくつかの特徴を今では提供する。
ａ．デバイスの小型化；
ｂ．オートバイ運転者間の通信；
ｃ．オートバイ内の通信「中継」とデバイスとの間の無線接続の使用、それは、一方では他のオートバイ運転者の同様のデバイスと通信を行い、他方では運転者のヘッドホンとの通信を伝達する。
ｄ．デバイスのハンズフリー操作；
ｅ．電話への接続；
ｆ．緊急メッセージの通信；および
ｇ．様々な追加の特徴。
【０００３】
本明細書で使用される、用語「Ｂｌｕｅｔｈｏｏｔｈデバイス」、「ヘッドホン装置」、および「ヘッドホンセット」は、全て、密閉ケーシングの中に設けられるデバイスに関し、ヘッドホンは、ヘルメット自体内に典型的に位置するので、そのデバイスの一部ではない。オートバイ運転者用のいくつかの種類のＢｌｕｅｔｈｏｏｔｈデバイスは、例えば、カルドシステム（Ｃａｒｄｏ  Ｓｙｓｔｅｍｓ  Ｉｎｃ）によって、製造および流通されている。
【０００４】
ヘルメットとＢｌｕｅｔｈｏｏｔｈヘッドホン（特にオートバイ運転者用）製品と、の２つの間の実質的な異なる性質を考慮して、それらは、異なる実体によって典型的に製造される。多くの場合異なる製造業者によって製造されるヘッドホンモデル種類は、当然様々な寸法、形状、およびさらに電子コネクタを有する。しかしながら、剛性であるヘルメット設計は、Ｂｌｕｅｔｈｏｏｔｈデバイスを収容するために適したスペースを提供し、操作環境および適切な接続手段も提供する必要がある。残念ながら、Ｂｌｕｅｔｈｏｏｔｈヘッドホン取付様式、形状、または寸法に関する基準はなく、そのような基準は、今後予見されない。
【０００５】
Ｂｌｕｅｔｈｏｏｔｈデバイスの収容を可能にするために、いくつかのヘルメット製造業者は、ヘルメットの外部表面からアクセスできるコネクタ付きのキャビティを提供する。ある場合には、キャビティおよびコネクタは、例えば、キャビティを使用する必要があれば取り除かれるプラスチックカバーで、不使用時に覆われる。しかしながら、このキャビティおよびコネクタは、特定の製品形状、寸法、およびコネクタ配置に適しており、特定のデバイスモデルに適しているかもしれない状況は、しかし市場の他のＢｌｕｅｔｏｏｔｈデバイスの多くには適さない。
【０００６】
ヘッドホンをヘルメットに取り付けるための別の解決策は、クランプの接着の手段による。しかしながら、この解決策は、好ましくなく、様々な欠点に見舞われる。
【発明の概要】
【発明が解決しようとする課題】
【０００７】
従って、本発明の目的は、キャビティまたはＢｌｕｅｔｈｏｏｔｈデバイス形状、寸法、または配置にかかわらず、Ｂｌｕｅｔｈｏｏｔｈデバイスをヘルメット内にすでにあるキャビティに接続するためのアダプタを提供することである。
【０００８】
本発明の別の目的は、前記のアダプタ内に、ヘルメットへの電子接続または機械的結合のための全ての必要な手段を提供することである。
【０００９】
本発明の他の目的および利点は、説明が進むにつれて明らかになる。
【課題を解決するための手段】
【００１０】
本発明は、ヘッドセット装置をヘルメットに取り付けるための交換可能なアダプタに関し、それは、（ａ）ヘルメットにあるヘルメットキャビティ内に収容されるのに適した形状を収容する下位にある下部と、（ｂ）前記のヘッドセット装置を収容するように適合されたアダプタキャビティと、を備え、異なる形状または寸法を有する別のヘッドセット装置を同じヘルメットに取り付ける必要があるときに、またはヘルメットを異なる形状または寸法のキャビティを有する別のヘルメットと交換する必要があるときに、前記のアダプタは、前記の別のヘッドセット装置を収容できるアダプタキャビティを有する、または前記の別のヘルメットのキャビティ内に収容されるのに適した下部形状を有する、別のアダプタと、交換される。
【００１１】
好ましくは、前記のアダプタキャビティは、前記の下位の上の、アダプタの上位に設けられる。
【００１２】
好ましくは、ヘルメットおよびアダプタは、アダプタの前記の下部を前記のヘルメットキャビティ内に係止されたままにする係止手段を備える。
【００１３】
好ましくは、アダプタは、前記のヘッドホン装置を前記のアダプタキャビティ内に係止されたままにする係止手段を備える。
【００１４】
好ましくは、ヘルメットキャビティおよびアダプタキャビティは、それらの形状、寸法、または両方、が異なる。
【００１５】
好ましくは、第１コネクタがアダプタの前記の下部に設けられ、前記の第１コネクタは、前記のヘルメットキャビティにある各ヘルメットコネクタと嵌合するように適合される。
【００１６】
好ましくは、第２コネクタが前記のアダプタキャビティに設けられ、前記の第２コネクタは、前記のヘッドホン装置にある各コネクタと嵌合するように適合される。好ましくは、適した配線手段が、前記の第１コネクタと前記の第２コネクタの対応する接点間を接続するように提供される。
【００１７】
好ましくは、開口が、キャビティコネクタの位置でアダプタに設けられ、追加の単一のコネクタが、その側の１つで前記のキャビティコネクタと、その反対側で前記のヘッドセットコネクタと、嵌合するように設けられる。
【図面の簡単な説明】
【００１８】
【図１】従来技術による典型的なヘルメットおよびヘッドホンを示す。
【図２】本発明の実施形態よる、ヘルメット、アダプタ、およびヘッドセットを示す。
【図３】アダプタの後面図を示し、その下部を示している（「下部」は、ヘルメット内で、その外部表面に対して、より深い部分を意味する）。
【図４】本発明の実施形態による、アダプタ、ヘッドセット、およびヘルメットのさらに別の図を示す。
【発明を実施するための形態】
【００１９】
図１は、従来技術によるオートバイ運転者ヘルメット１を示す。示されているヘルメットは、その構造が典型的であり、外側剛性プラスチック層１０と、典型的に発泡スチロール（ＥＦＳ）で作られている中間エネルギー吸収軟層（図示せず）と、例えば、汗の吸収、ユーザーの頭部の形状等への適合などのユーザーの利便性のために軟らかくなっている織物層１１と、の３つの層で実質的に作られている。層の形状は、安全性、空気力学、および美的観点に起因して、それぞれのヘルメットに特有である。Ｂｌｕｅｔｈｏｏｔｈヘッドホン装置２０を受け入れるために、いくつかのヘルメットには、ヘルメットキャビティ１５が設けられている。前記の好ましい場合では、ヘルメットキャビティは、プラスチックで作られており、それは、剛性外側層１０を通ってまたはから広がり、および中間層を通って広がる。そのような好ましい場合では、ヘルメットキャビティは、電子コネクタ１８をさらに含み、電子コネクタ１８は、内側層１１および中間層内で内部的に位置するイヤホンとヘッドホン装置との間の接続を可能にする。いくつかの他のより好ましくない場合では、イヤホンは、ヘルメット内に予め搭載されておらず、それらはユーザーによって外部から接続されて取り付けられる。
【００２０】
示されているように、ヘルメットキャビティ１５は、一特定のモデルのＢｌｕｅｔｈｏｏｔｈデバイス２０を受け入れる形状を有する。Ｂｌｕｅｔｈｏｏｔｈデバイス２０は、コネクタ１８の位置に関しても、ヘルメットキャビティ１５と合う必要があり、それは、デバイスをヘルメットキャビティ内の所定の位置に安全に保持する係止手段（図示せず）を典型的に有する。ヘルメットキャビティ内に設けられた構造とは異なる形状および／またはコネクタを有するあらゆるデバイスは、キャビティに収容されることができず、それは適切に動作できない。
【００２１】
図２は、所定の形状のヘルメットキャビティへの様々な形状の装置の插入を可能にするアダプタ３０を示す。図３は、本発明の実施形態による前記のアダプタの後面図を示す。アダプタ３０は典型的にプラスチックで作られ、それは２段階部品である。部品の下位１７は、ヘルメットキャビティ１５の形状と実質的に合う形状を有し、従ってそれはこのキャビティに插入されることができる。係止手段（図に示されていない）は、ヘルメットキャビティ１５内のアダプタ３０の下位１７を安全に係止し、一方、アダプタ３０の上位１６は、ヘルメットキャビティ１５の周辺と比べてより大きいまたはより小さい周辺を実質的に有することができるように、外側層１０のレベルから突き出る。アダプタの上位１６は、アダプタキャビティ１９を有し、それは、特定のＢｌｕｅｔｈｏｏｔｈデバイス２０を受け入れるように適合され、従って、前記のアダプタキャビティ１９の形状は、特定のデバイス２０の形状と合う。一実施形態では、アダプタ３０は、ヘルメットキャビティ１５にあるコネクタ１８と嵌合するように適合された下位１７にある第１コネクタ（図示せず）と、デバイス２０にある対応するコネクタと嵌合する上位１６にある第２コネクタ２６と、を備える。必要に応じて、配線が、アダプタ３０の前記の２つのコネクタの接点間をブリッジするように設けられてよい。他の実施形態では、アダプタ３０は、開口（図示せず）を有し、それを通って単一のコネクタが、その側の１つでキャビティコネクタと、その反対側でヘッドセットと、嵌合する。
【００２２】
アダプタは、上位１６で、デバイス２０をアダプタキャビティ１９内に係止する係止手段も備える。
【００２３】
アダプタには、必要に応じてアンテナ（図示せず）が設けられてよく、それは、上位１７でコネクタを介してデバイス２０に接続される。
【００２４】
示されているように、本発明のアダプタ３０は、あらゆる形状を有するデバイス２０のヘルメットキャビティ１５への接続を可能にし、そのヘルメットキャビティ１５は、ルメット１０内にあり、対応する特定の形状を有するヘッドホン装置を受け入れるように設計されている。示されているように、アダプタ３０の下位だけが、ヘルメットキャビティ１５の形状および寸法と、およびヘルメット内のコネクタ１８と、合う必要がある。アダプタの上位およびアダプタキャビティ１９は、特定のヘッドホン装置２０の、形状、寸法、およびコネクタと、合うように設計されている。アダプタは、好ましくは、いくつかある考えるべき事柄の中で特に、空気力学的考察も考慮に入れて、ヘルメットの形状と合うように設計される。
【００２５】
図４は、本発明のさらに別の実施形態を示す。アダプタ１３０は、その構造が図２および３のアダプタ３０と類似している。図２および３の要素と同様の数的表示を有する図４の要素は、それぞれ同様の機能も行う。従って、それらの要素は繰り返されない。アダプタ１３０は、開口１４１を備え、それを通ってコネクタ１１８が入ってヘッドセット１２０の各コネクタと嵌合する。アダプタ１４２は、クランプ手段１４２も備え、クランプ手段１４２は、それをキャビティ１１５にある対応する配置に取り付ける。ヘルメット１０は、本発明とは関係がない他の部品（スピーカーなど）を収容する１つ以上の追加のキャビティ１４９を備える。
【００２６】
従って、典型的に低コストで、簡単で、交換可能なアダプタは、ヘルメットの製造業者に、様々な形状のヘッドホン装置へのヘルメットの適合に関する自由度を提供し、Ｂｌｕｅｔｈｏｏｔｈデバイスの製造業者にも、あらゆる形状および寸法のヘルメットキャビティを有するヘルメットへの装置の適合に関する自由度を提供する。さらに、適切なアダプタ３０が使用される限り、様々な形状の装置を、既定のヘルメットに容易に取り付けることができる。従って、既定のヘルメットについて、別のアダプタ１０が、それぞれ異なるヘッドセットモデルに必要であるかもしれない。さらに、それぞれのデバイスモデルについて、別のアダプタ１０が、それぞれの特定のヘルメットモデルに必要であるかもしれない。従って、ユーザーは、ヘッドホン装置を取り替えようと思う場合に、適切なヘルメットキャビティ付きの新しいヘルメットを買う必要がない。さらに、ユーザーは、ヘルメットを取り替えようと思う場合に、このヘルメットが彼の持っているヘッドホン装置に適合するかどうか心配しなくてもよい。前記の場合の両方で、適切な安くて簡単なアダプタだけを交換すればよい。
【００２７】
本発明の一実施形態では、ヘッドホン装置をヘルメットから取り除く必要があれば、装置２０は、アダプタ３０のキャビティ１９から取り外され、一方、アダプタ３０は、ヘルメットキャビティ１５内でヘルメット１０に取り付けられたままである。別の実施形態では、アダプタ３０は、アダプタキャビティ１９内に残っているヘッドホン装置２０と共にヘルメットキャビティ１５から取り外されてよい。ヘルメット内でアダプタ３０をヘルメットに取り付ける、およびアダプタ内でアダプタをヘルメットにも装置２０にも取り付ける、グリップ手段は、標準であり、様々な種類であってよい。
【００２８】
本発明のいくつかの実施形態が例として記載されたが、本発明は、多くの変更、変形および適合と共に、および当業者の思考力の範囲内である代替解決策および多数の均等物の使用と共に、本発明の趣旨から逸脱することなく、または請求項の範囲を超えることなく、実施できることが、明らかである。
【図１】
0006420369.tif 000002
【図２】
0006420369.tif 000003
【図３】
0006420369.tif 000004
【図４】
0006420369.tif 000005